(57)【要約】【課題】重要なデータを的確に保護するとともに、データの格納場所を特定できるようにして記憶媒体の破損時のデータ復元を容易に行うこと。【解決手段】本発明は、ハードディスク装置のプラッタ１のように回転する記録媒体の記録面に所定のヘッダ２からデータを記録する方法において、予め記録対象のデータに所定条件による重み付けをしておき、その重み付けの大きいデータほどプラッタ１におけるヘッダ２の退避位置より離れた位置に記録する。また、プラッタ１に、データの記録位置と対応付けされたマーカーを設けておくデータ記録装置でもある。【選択図】　　　　図１
2004030708.tif 000002
【特許請求の範囲】
【請求項１】
回転する記録媒体の記録面に所定のヘッダからデータを記録する方法において、
予め記録対象のデータに所定条件による重み付けをしておき、その重み付けの値が所定値より大きいデータを前記記録面における前記ヘッダの退避位置より離れた位置に記録する
ことを特徴とするデータ記録方法。
【請求項２】
回転する記録媒体の記録面に所定のヘッダからデータを記録する方法において、
予め記録対象のデータに所定条件による重み付けをしておき、その重み付けの値が所定値より大きいデータを前記記録面における回転中心に近い位置に記録する
ことを特徴とするデータ記録方法。
【請求項３】
回転する記録媒体の記録面に所定のヘッダからデータを記録する方法において、
予め前記記録媒体の特定位置にマーカーを設けておき、
記録対象のデータに所定条件による重み付けをして、その重み付けの値が所定値より大きいデータを前記マーカーから近い位置に記録する
ことを特徴とするデータ記録方法。
【請求項４】
回転する記録媒体の記録面に所定のヘッダからデータを記録する方法において、
予め記録対象のデータに所定条件による重み付けをしておき、その重み付けの大きさに従い前記記録面の回転方向と逆向きに内側の位置から記録する
ことを特徴とするデータ記録方法。
【請求項５】
前記データの重み付けが所定の値を超えている場合、そのデータを圧縮または暗号化して記録する
ことを特徴とする請求項１から４のうちいずれか１項に記載のデータ記録方法。
【請求項６】
前記データの重み付けの値が所定値より大きい場合、そのデータを前記記録面の複数箇所に記録する
ことを特徴とする請求項１から４のうちいずれか１項に記載のデータ記録方法。
【請求項７】
前記データの重み付けの値が所定値より大きい場合、そのデータの記録位置によって異なる圧縮または暗号化を施す
ことを特徴とする請求項１から４のうちいずれか１項に記載のデータ記録方法。
【請求項８】
前記データの記録に先立ち、前記重み付けを予め設定された条件に基づき行う
ことを特徴とする請求項１から７のうちいずれか１項に記載のデータ記録方法。
【請求項９】
前記データの記録に先立ち、前記重み付けを予めユーザの設定した条件に基づき行う
ことを特徴とする請求項１から７のうちいずれか１項に記載のデータ記録方法。
【請求項１０】
回転する記録媒体の記録面に所定のヘッダからデータを記録する装置において、
前記記録媒体には、前記データの記録位置と対応付けされたマーカーが設けられている
ことを特徴とするデータ記録装置。
【発明の詳細な説明】
【０００１】
【発明の属する技術分野】
本発明は、ハードディスク装置等の記録媒体にデータを記録するデータ記録方法およびデータ記録装置に関し、特にプラッタやヘッダ等の物理的な破壊、故障発生時に、記録されている重要データを保護、復元するために好適な技術に関するものである。
【０００２】
【従来の技術】
ハードディスク装置は、パソコンやサーバ、さらにはビデオレコーダなどの情報固定または外部記憶装置として一般的に用いられている。近年、パソコンやサーバでは動作するソフトウエアの大規模化や扱うデータの増大化に従い、ハードディスク装置の記憶容量も増大化してきている。また、映像などを記憶するビデオレコーダなどでは、その用途から莫大な記憶容量が必要とされている。それに伴い、記憶したデータを保護する方法について感心が高まりつつある。
【０００３】
データを保護する手法は個人ユーザが実施できるものから、ハードディスク装置を製造するメーカーでしか実施できないものまで様々である。以下に、従来の手法を示す。
【０００４】
＜その１＞
図１１に示す構成では、ハードディスク装置１１０１とバックアップ装置１１０３とが同じバス１１０２に繋がっており、ハードディスク装置１１０１に記憶されているデータがバス１１０２を通じてバックアップ装置１１０３に送られ、記憶メディア１１０４にコピーされる。記憶メディア１１０４としてはＣＤ−Ｒ（ＣＤ−Ｒｅｃｏｒｄａｂｌｅ）、ＦＤ（フレキシブルディスク）、ＭＯ（光磁気型記録媒体）などが挙げられ、個人や小企業で一般的に利用されている。
【０００５】
しかしながら、このような構成では、頻繁なバックアップが必要であり、ユーザが操作するので頻繁に書き換えが行えないという問題がある。また、その都度バックアップメディアが必要であり、突然ハードディスク装置１１０１が物理的に故障してしまった場合には対処できない。
【０００６】
＜その２＞
図１２に示す構成では、ハードディスク装置１２０１〜１２０３がＲＡＩＤコントローラー１２０４を通じてバス１１０２に接続されている。このバス１２０５を通じて送られてきたデータはＲＡＩＤコントローラー１２０４によって、分散・ミラーリングなどの方法によりハードディスク装置１２０１〜１２０３に記憶される。
【０００７】
これは、ＲＡＩＤなどの技術を用いたハードディスク装置を用いる構成として、大企業や研究・開発部門で一般的に適用されている。しかしながら、このような構成は、装置そのものが高価であり、ランニングコストがかかる。また、ＲＡＩＤコントローラー１２０４の物理的な故障には対処できないという問題がある。
【０００８】
＜その３＞
図１３に示す構成は、ハードディスク装置１３０１とＣＰＵ１３０３、メモリー１３０４がバス１３０２で繋がっている。ＣＰＵ１３０３ではハードディスク装置１３０１へのアクセス回数などを計測するプログラムが実行されている。計測したアクセス回数などはメモリー１３０４に保持され、既定の回数などに達した時点で、故障の警告を出すようになっている（特開平８−３３９６１６号公報など）。
【０００９】
これは、ハードディスク装置１３０１またはその制御プログラムに故障の検知・予測機能を持たせるものであるが、ユーザでは対応できず、不必要な装置の交換が発生するという問題がある。また、突然のハードディスク装置１３０１の物理故障には対処できない。
【００１０】
＜その４＞
図１４に示す構成は、ハードディスク装置内部において、プラッタ１とヘッダ２とが存在し、ヘッダ２が１４０２の位置にあるときに、何らかの衝撃・動作の異常を検知すると直ちに１４０３の退避位置にヘッダを移動させるものである（特開平９−０２２５７１号公報など）。
【００１１】
このような構成は、故障発生を抑制するような機構を持たせるものであるが、ユーザでは対応できず、突然のハードディスク装置の物理故障には対処できないという問題がある。
【００１２】
＜その５＞
図１５に示す構成は、プラッタ１に破損Ｋがあったり、破損して断片となったプラッタ１５０３が存在する場合、データ復旧会社を利用して可能な限りのデータを吸い出してもらうものである。しかしながら、この方法は非常に高価で簡単には利用できない。また、物理的に壊れている部分のデータは吸い出せないという問題がある。
【００１３】
近年では、ハードディスク装置の記憶容量があまりに大規模化し簡単にはバックアップを取れない状況になりつつある。一方でインターネットなどを通じたビジネスの普及や機器のコストの兼ね合いからデータの重要度に差が生まれ、特に重要なデータは緊急時も極力保護される必要が出てきた。このため、不意の物理的な機器の故障についても、特に重要なデータは保護できる仕組みを必要とされている。
【００１４】
【発明が解決しようとする課題】
従来の技術では前述のように、多くの手間がかかるわずらわしさや、機器導入のコストやランニングコストがアップしてしまうこと、物理的な装置の故障に対処できない、などといった問題がある。また、突然の物理的故障に対するデータ吸出しサービスは高価すぎて、利用が非現実的であり、外部に委託する上でセキュリティ上の問題もある。本発明では、上記の点に鑑みてなされたものであり、バックアップが不完全な場合でも、物理的な装置の故障から、重要データを容易に保護および吸い出せるようにすることを目的とする。
【００１５】
【課題を解決するための手段】
本発明は、このような課題を解決するために成されたものである。すなわち、本発明は、回転する記録媒体の記録面に所定のヘッダからデータを記録する方法において、予め記録対象のデータに所定条件による重み付けをしておき、その重み付けの値が所定値より大きいデータを前記記録面における前記ヘッダの退避位置より離れた位置に記録する方法である。
【００１６】
また、重み付けの値が所定値より大きいデータを記録面における回転中心に近い位置に記録する方法でもある。さらに、記録媒体の特定位置に予めマーカーを設けておき、重み付けの値が所定値より大きいデータをマーカーから近い位置に記録する方法でもある。
【００１７】
また、重み付けの大きさに従い記録面の回転方向と逆向きに内側の位置から記録する方法でもある。さらに、データの重み付けの値が所定値より大きい場合、そのデータを圧縮または暗号化して記録する方法でもある。
【００１８】
また、データの重み付けの値が所定値より大きい場合、そのデータを記録面の複数箇所に記録する方法でもある。さらに、データの重み付けの値が所定値より大きい場合、そのデータの記録位置によって異なる圧縮または暗号化を施す方法でもある。
【００１９】
また、データの記録に先立ち、重み付けを予め設定された条件に基づき行ったり、ユーザの設定した条件に基づき行う方法でもある。
【００２０】
また、回転する記録媒体の記録面に所定のヘッダからデータを記録する装置においては、この記録媒体に、データの記録位置と対応付けされたマーカーを設けるものである。
【００２１】
このような本発明では、データの重み付けでそのデータの重要度を切り分けて、重要なデータについては記録媒体の記録面における損傷確率の少ない場所や、どの位置に記録したかを分かるように記録するため、記録面に物理的な損傷があっても重要なデータの保護を図ることができるとともに、重要なデータの記録位置を容易に見つけ出すことができるようになる。
【００２２】
【発明の実施の形態】
以下、本発明の実施の形態を図に基づき説明する。先ず、第１実施形態の説明を行う。図１は、第１実施形態に係るデータ記録方法を説明する模式図である。ハードディスク装置の構成部品として、プラッタ１とヘッダ２とが存在している。このヘッダ２の位置はヘッダ退避位置にあるものとする。１１はプラッタのヘッダ退避位置から離れた位置を示す。
【００２３】
データを記録する場合、予めデータの重要度を所定の重み付けによって求めておく。すなわち、データに対して所定の重み付けを行い、その重み付けの値が所定値より大きい場合には重要なデータであるとする。そして、データが重要データの場合、ヘッダ２は退避位置から離れた位置１１側に移動し、空いているセクタにデータを書きこむ。
【００２４】
一方、重要データでない場合はヘッダ２の退避位置側にデータを書きこむ。なお、データの重要度の決定は所定の条件に基づく重み付けのほか、どのような方式、プログラムを用いてもよい。また、データの書きこみ位置の決定およびヘッダの制御もどのような方式やプログラムを用いても構わない。
【００２５】
このような記録方法によって、重要なデータはヘッダ２の移動によって接触の影響を一番受けにくい部分に記録されることになり、データの破損を回避できるようになる。しかも、プラッタ１のどの位置に重要なデータが書き込まれているか容易に判断でき、プラッタ１の破損があっても重要なデータの復元を迅速に行うことができるようになる。
【００２６】
次に、第２実施形態の説明を行う。図２は、第２実施形態に係るデータ記録方法を説明する模式図である。すなわち、ハードディスク装置の構成部品として、プラッタ１とヘッダ２とが存在している。１２はプラッタ１の内側位置を示している。
【００２７】
入力データが重要データの場合、ヘッダ２はプラッタ１の内側位置１２に移動し、空いているセクタにデータを書きこむ。重要データでない場合はプラッタ１の外側位置にデータを書きこむ。なお、データの重要度の決定やデータの書きこみ位置の決定およびヘッダの制御などはどのような方式やプログラムを用いても構わない。
【００２８】
このような記録方法によって、プラッタ１のどの位置に重要なデータが書き込まれているか容易に判断でき、プラッタ１の破損があっても重要なデータの復元を迅速に行うことができるようになる。
【００２９】
次に、第３実施形態の説明を行う。図３は第３実施形態に係るデータ記録装置を説明する模式図である。このデータ記録装置は、プラッタ１とプラッタを回転させるスピンドル１０とが存在する。図３（ａ）に示す例は、プラッタ１の外縁に物理マーカーＭ１が設けられ、図３（ｂ）に示す例は、スピンドル１０に物理マーカーＭ２が記されている。
【００３０】
このようなデータ記録装置を用いたデータの記録では、入力データが重要データの場合、物理マーカーＭ１、Ｍ２の存在位置よりデータを記録する。なお、データの重要度の決定やデータの書きこみ位置の決定およびヘッダの制御などはどのような方式やプログラムを用いても構わない。
【００３１】
また、物理マーカーＭ１、Ｍ２の位置はデータ記憶領域外を原則とするが、データの読み書きに影響がなければデータ記憶領域内であっても構わない。さらに、物理マーカーＭ１、Ｍ２は印刷、形状加工、素材の違いなど、物理的に判断できるものであればどのようなものであってもかまわない。
【００３２】
このような物理マーカーＭ１、Ｍ２を備えたデータ記録装置では、プラッタ１の物理マーカーＭ１やスピンドル１０の物理マーカーＭ２の位置を基準として重要なデータが書き込まれていることを容易に判断でき、プラッタ１の破損があっても重要なデータの復元を迅速に行うことができるようになる。
【００３３】
次に、第４実施形態の説明を行う。図４は第４実施形態に係るデータ記録装置を説明する模式図である。このデータ記録装置では、プラッタ１に論理マーカーＭ３が書きこまれた構成となっている。
【００３４】
入力データが重要データの場合、論理マーカーＭ３の存在位置よりデータを記憶する。なお、データの重要度の決定やデータの書きこみ位置の決定およびヘッダの制御などはどのような方式やプログラムを用いても構わない。また、論理マーカーＭ３はデータ位置を識別できるものなら内容は問わない。さらに、論理マーカーＭ３はどのような配置でも構わない。
【００３５】
このような論理マーカーＭ３を備えたデータ記録装置では、プラッタ１の論理マーカーＭ３の位置を基準として重要なデータが書き込まれていることを容易に判断でき、プラッタ１の破損があっても重要なデータの復元を迅速に行うことができるようになる。また、論理マーカーＭ３では配置個数、配置場所を自由に設定でき、ユーザの要求に応じた論理マーカーＭ３の設定を行うことが可能である。
【００３６】
次に、第５実施形態の説明を行う。図５は第５実施形態に係るデータ記録方法を説明する模式図である。このハードディスク装置では、プラッタ１にトラックＴが区分されており、各トラックＴにはセクタＳ１〜Ｓ３が存在している。
【００３７】
入力データが重要データの場合、回転方向（図中矢印参照）とは逆向きに、プラッタ１の内側にあるセクタＳ１３から順に、セクタＳ３に向かって書きこんでいく。なお、データの重要度の決定やデータの先頭部分のプラッタ内側における書きこみ開始位置の決定およびヘッダの制御などはどのような方式やプログラムを用いても構わない。
【００３８】
このようなデータ記録方法によって、プラッタ１の回転中にヘッダがプラッタ１に接触しても重要なデータの全てに損傷を与える確率が低くなり、重要データの保護を図ることができる。なお、この例ではセクタＳ１〜Ｓ３のみを示したが、これは一例であり、この順でさらに多くのセクタへデータを記録してもよい。
【００３９】
次に、第６実施形態の説明を行う。図６は第６実施形態を説明する構成図である。第６実施形態は、本発明のデータ記録方法を実現するシステムであり、圧縮手段２６０１、制御手段２６０２、判断手段２６０３、ハードディスク装置１１０１、記憶手段２６０６がバス１１０２により接続されている。
【００４０】
記憶手段２６０６に何らかのデータが存在し、このデータをハードディスク装置１１０１に保存する命令がバス１１０２を通じて、外部または何らかの入力手段から送られてくると、判断手段２６０３は、記憶手段２６０６に存在するデータが重要データであるかどうか判断する。
【００４１】
重要データであると判断した場合、判断手段２６０３は制御手段２６０２に該当データが重要データであることを通知する。制御手段２６０２は重要データを圧縮手段２６０１に送る。圧縮手段２６０１は送られた重要データを圧縮し制御手段２６０２に渡す。
【００４２】
制御手段２６０２は圧縮された重要データをハードディスク装置１１０１に送り、記憶させる。記憶方式は上記説明した第１実施形態から第６実施形態またはその組み合わせを用いる。このとき書きこみの制御は制御手段２６０２が行ってもよく、またハードディスク装置１１０１が持つ制御手段を用いてもよい。ここでは、圧縮手段２６０１を用いているが、暗号化の場合はこの手段を暗号化手段とすればよい。また、圧縮手段と暗号化手段は混在してもよく、双方の手段を用いても、単体で用いても構わない。
【００４３】
このようなシステムを用いたデータ記録方法によれば、重要なデータをハードディスク装置１１０１のどの位置に記憶したか容易に判断できるとともに、重要なデータを圧縮もしくは暗号化して保存するため、データ復旧を行う際に重要なデータが外部へ容易に漏洩してしまうことを防止できるようになる。
【００４４】
次に、第７実施形態の説明を行う。図７は第７実施形態に係るシステムを説明する構成図である。このシステムは、制御手段２６０２、判断手段２６０３、ハードディスク装置１１０１、記憶手段２６０６がバス１１０２により接続されている。
【００４５】
記憶手段２６０６に何らかのデータが存在し、このデータをハードディスク装置１１０１に保存する命令がバス１１０２を通じて、外部または何らかの入力手段から送られてくると、判断手段２６０３は、記憶手段２６０６に存在するデータが重要データであるかどうか判断する。
【００４６】
重要データであると判断した場合、判断手段２６０３は制御手段２６０２に該当データが重要データであることを通知する。制御手段２６０２は重要データをコピーし、記憶手段２６０６にコピーデータを一時的に保存する。制御手段２６０２は重要データをハードディスク装置１１０１に送り、記憶させる。
【００４７】
さらに、制御手段２６０２はコピーした重要データをハードディスク装置１１０１に送り、記憶させる。記憶方式は上記説明した第１実施形態から第７実施形態またはその組み合わせを用いる。このとき書きこみの制御は制御手段２６０２が行ってもよく、またハードディスク装置１１０１が持つ制御手段を用いてもよい。なお、データのコピーを制御手段２６０２が行いながら直接ハードディスク装置１１０１に送ってもよく、またコピーデータの数は特に規定しない。
【００４８】
このようなシステムにより、重要なデータをコピーして記録することから、何らかの原因で重要なデータの記録部分を破損しても、コピーを用いて容易に復元することが可能となる。
【００４９】
次に、第８実施形態の説明を行う。図８は第８実施形態に係るシステムを説明するブロック図である。このシステムは、複数の異なる圧縮方式を持つ圧縮手段２６０１、制御手段２６０２、判断手段２６０３、ハードディスク装置１１０１、記憶手段２６０６がバス１１０２により接続されている。
【００５０】
記憶手段２６０６に何らかのデータが存在し、このデータをハードディスク装置１１０１に保存する命令がバス１１０２を通じて、外部または何らかの入力手段から送られてくると、判断手段２６０３は、記憶手段２６０６に存在するデータが重要データであるかどうか判断する。
【００５１】
重要データであると判断した場合、判断手段２６０３は制御手段２６０２に該当データが重要データであることを通知する。制御手段２６０２は重要データをコピーし記憶手段２６０６にコピーデータを一時的に保存する。
【００５２】
制御手段２６０２は重要データを圧縮手段２６０１に送る。圧縮手段２６０１は送られた重要データを圧縮し、制御手段２６０２に渡す。制御手段２６０２は圧縮された重要データをハードディスク装置１１０１に送り、記憶させる。
【００５３】
続いて、制御手段２６０２はコピーデータを圧縮手段２６０１に送る。圧縮手段２６０１は送られた重要データを前回とは異なる方式で圧縮し、制御手段２６０２に渡す。
【００５４】
制御手段２６０２は圧縮されたコピーデータをハードディスク装置１１０１に送り、記憶させる。記憶方式は上記説明した第１実施形態から第６実施形態またはその組み合わせを用いる。このとき書きこみの制御は制御手段２６０２が行ってもよく、またハードディスク装置１１０１が持つ制御手段を用いてもよい。
【００５５】
ここでは、圧縮手段２６０１を用いているが、暗号化の場合はこの手段を暗号化手段とすればよい。また、圧縮手段と暗号化手段は混在してもよく、双方の手段を用いても、単体で用いても構わない。
【００５６】
データのコピーについては制御手段２６０２が行いながら直接圧縮手段２６０１に送ってもよく、かつ圧縮手段２６０１によって圧縮されたデータは直接ハードディスク装置１１０１に送られてもよい。またコピーデータの数は特に規定しない。
【００５７】
このようなシステムにより、重要なデータを複数コピーして記録し、しかも各コピーデータを各々異なる圧縮もしくは符号化によって記録することから、重要なデータの記録部分を破損しても、コピーを用いて容易に復元することが可能となるとともに、復元の際にデータの漏洩を効果的に防止できるようになる。
【００５８】
次に、第９実施形態の説明を行う。図９は第９実施形態に係るシステムを説明するブロック図である。このシステムは、制御手段２６０２、判断手段２６０３、ハードディスク装置１００１、記憶手段２６０６がバス１１０２により接続されている。
【００５９】
記憶手段２６０６に何らかのデータが存在し、このデータをハードディスク装置１１０１に保存する命令がバス１１０２を通じて、外部または何らかの入力手段から送られてくると、判断手段２６０３は、記憶手段２６０６に存在するデータが重要データであるかどうか所定の条件によって判断する。
【００６０】
このとき、判断手段２６０３は記憶手段２６０６に存在する重要データ識別情報を用い、判断するデータが重要か否かを自動的に判断する。重要データであると判断した場合、上記説明した第１実施形態から第６実施形態またはその組み合わせを用いてデータをハードディスク装置１１０１に格納する。
【００６１】
ここでは、記憶手段２６０６に重要データ識別情報があるとしているが、判断時に取り出せる場所ならばどこにおいてあっても構わない。このようなシステムにより、重要なデータを自動的にハードディスク装置１１０１の特定箇所へ記録でき、わずらわしい操作を行うことなく重要なデータの的確な保護および容易な復元を行うことができるようになる。
【００６２】
次に、第１０実施形態の説明を行う。図１０は第１０実施形態に係るシステムを説明するブロック図である。このシステムは、入力手段２６０７、制御手段２６０２、判断手段２６０３、ハードディスク装置１１０１、記憶手段２６０６がバス１１０２により接続されている。
【００６３】
記憶手段２６０６に何らかのデータが存在し、このデータをハードディスク装置１１０１に保存する命令がバス１１０２を通じて、外部または入力手段２６０７から送られてくると、判断手段２６０３は、記憶手段２６０６に存在するデータが重要データであるかどうか判断するために、外部または入力手段２６０７に対し、該当データを重要データとみなすかどうか指示するよう通知する。
【００６４】
ユーザが外部または入力手段２６０７より、該当データを重要データであると指定してきた場合、判断手段２６０３は、該当データを重要データであると判断する。
【００６５】
判断手段２６０３は制御手段２６０２に該当データが重要データであることを通知する。制御手段２６０２は該当データを重要データとして、上記説明した第１実施形態から第８実施形態またはその組み合わせでデータをハードディスク装置１１０１に記憶する。
【００６６】
このようなシステムによって、ユーザの指定した条件でデータの重要性を判断し、ハードディスク装置１１０１の指定部分に重要データを記録でき、ユーザの好みに応じた重要データの保存を行うことができるようになる。
【００６７】
【発明の効果】
以上説明したように、本発明によれば、重要なデータを破損の可能性の少ない部分に保存して的確に保護することができるとともに、記憶媒体が破損してしまった場合の復元を容易に行うことが可能となる。これによって、記憶媒体の物理故障時でも、データ位置の特定が容易となり重要なデータの吸出しサービスを安価に利用でき、データを効率よく救出できるようになる。
【図面の簡単な説明】
【図１】第１実施形態を説明する模式図である。
【図２】第２実施形態を説明する模式図である。
【図３】第３実施形態を説明する模式図である。
【図４】第４実施形態を説明する模式図である。
【図５】第５実施形態を説明する模式図である。
【図６】第６実施形態を説明するブロック図である。
【図７】第７実施形態を説明するブロック図である。
【図８】第８実施形態を説明するブロック図である。
【図９】第９実施形態を説明するブロック図である。
【図１０】第１０実施形態を説明するブロック図である。
【図１１】従来例（その１）を説明するブロック図である。
【図１２】従来例（その２）を説明するブロック図である。
【図１３】従来例（その３）を説明するブロック図である。
【図１４】従来例（その４）を説明する模式図である。
【図１５】従来例（その５）を説明する模式図である。
【符号の説明】
１…プラッタ、２…ヘッダ、１１０１…ハードディスク装置、１１０２…バス、２６０１…圧縮手段、２６０２…制御手段、２６０３…判断手段、２６０６…記憶手段
【図１】
2004030708.tif 000003
【図２】
2004030708.tif 000004
【図３】
2004030708.tif 000005
【図４】
2004030708.tif 000006
【図５】
2004030708.tif 000007
【図６】
2004030708.tif 000008
【図７】
2004030708.tif 000009
【図８】
2004030708.tif 000010
【図９】
2004030708.tif 000011
【図１０】
2004030708.tif 000012
【図１１】
2004030708.tif 000013
【図１２】
2004030708.tif 000014
【図１３】
2004030708.tif 000015
【図１４】
2004030708.tif 000016
【図１５】
2004030708.tif 000017